(57)【特許請求の範囲】
【請求項１】
読者に対して或る印象を訴えるための素材を付加して文書を作成する作業を支援する文書作成支援装置であって、
作成支援対象文書で訴えたい印象を表す評価用語を含む文書情報と、当該文書に付加する素材の態様を規定する素材スタイルデザインを含む素材情報とを入力する入力手段と、
評価用語と少なくとも素材に変更を加える属性を含む素材スタイルデザインとの関係を規定する素材スタイルデザイン知識情報を格納した知識データベースと、
前記入力手段から入力された文書情報と素材情報に基づいて、前記知識データベースに格納された素材スタイルデザイン知識情報を用いて作成支援対象文書に付加する素材のスタイルデザインを決定する素材スタイルデザイン決定手段と、
を備えたことを特徴とする文書スタイル設計支援装置。
【請求項２】
請求項１に記載の文書スタイル設計支援装置において、
評価用語と素材スタイルデザインと文書の態様を規定する文書スタイルデザインとの関係を規定する文書スタイルデザイン知識情報を格納した第二の知識データベースと、
前記入力手段から入力された文書情報及び前記素材スタイルデザイン決定手段が決定した素材スタイルデザインに基づいて、前記第二の知識データベースに格納された文書スタイルデザイン知識情報を用いて作成支援対象文書の文書スタイルデザインを決定する文書スタイルデザイン決定手段と、
前記素材スタイルデザイン決定手段が決定した素材スタイルデザインと前記文書スタイルデザイン決定手段が決定した文書スタイルデザインとを出力する出力手段と、
を更に備えたことを特徴とする文書スタイル設計支援装置。
【発明の詳細な説明】
【０００１】
【発明の属する技術分野】
本発明は、文書スタイルデザインの設計を支援する装置に関し、特に、文書として文字部分だけではなく写真やイラストなどの読者に何らかの印象を訴える素材を含んだ文書について、作成者の好みに応じた文書スタイルデザインの設計を効果的に支援する文書スタイル設計支援装置に関する。
【０００２】
【従来の技術】
コンピュータの性能向上や低価格化に伴い、文書作成アプリケーションをインストールしたコンピュータによる文書作成は幅広く普及した。アマチュアレベルの一般ユーザも、できるだけ品質の良い文書を作成したいと願ってはいるが、デザイナが作成するようなデザイン品質の高い文書を作成することは非常に難しい。
一般ユーザの願望を少しでもかなえるための方法として、デザイン品質の高い既存の文書を再利用したり、デザイン例として参考にしたりする方法がある。
【０００３】
例えば、特開平１−３０４５７５号公報には、文書を用途別などに分類蓄積しておき、これらの中から作成したい文書に似た性質を持つ文書を選び出して再利用できるようにした装置が開示されている。
また、別の技術として文書スタイルの設計内容を納めた、いわゆる文書書式を適用する方法がある。この方法は、複数用意されている文書書式の中から一つを選び、この文書書式のパラメータを適宜変更することにより文書をデザインすることで、作成者の意図や用途に対して比較的質の良い出力が得られるようにする方法である。
【０００４】
しかしながら、過去の文書を再利用する方法では、選択対象とする文書例が多ければ多いほど、どの例を選べばよいか判断に迷う。一方、選択対象とする文書例が少ないと、作成者の意図や用途にあったものが見つかる可能性が低くなるため、文書の選択それ自体に意味がなくなる可能性がある。更には、選択された文書例のどの部分が作成者の意図や用途を反映する部分か否かを理解できるまでの知見がないと、文書例のどの部分を再利用すればよいか判断できないため、一般の作成者にとっては、例えば、ビジネスレターなどの定型的な文書の作成以外にあまり役に立つ方法ではなかった。
【０００５】
また、文書書式を利用する方法では、ある一定レベル以上の仕上がりは期待できるものの、既存の文書を再利用する方法と同様に、書式の適用により得られた文書のどの部分が作成者の意図や用途を反映する部分か否かを理解できるまでの知見がないと、また、必ずしも作成者の意図や用途にあった書式が用意されているとは限らないため、作成文書固有の条件によって発生した不具合や、書式の選択ミスなどによって発生した不具合までは直せないため、必ずしも希望どおりの文書が得られるものではなかった。
【０００６】
このようにいずれの場合でもデザインの知識を持たない一般の利用者には、選択したものを基本として手直しを試みても、過去に作成された文書や予め用意されている書式のどの部分をまねて、他のどの部分をどのように手直しすると、自分の意図や用途にあったものになるかが分からないため、結果として既存の文書や書式をうまく活用することができず、文書をある一定以上のものにデザインすることができないという問題点があった。
【０００７】
これらの方法に対して、作成者が見栄えの良い文書にする知識を持たなくても、また、自分の意図や用途を反映させるための方法に対する知識を持たなくても、作成者の意図や用途にあった見栄えの良い文書スタイルに関するデザインを容易に得ることができる文書スタイル設計支援装置が、特開平５−１０８６４１号公報で提案されている。この装置は、文書の評価用語や文書スタイルデザイン要素などから文書スタイルデザイン知識情報を用いて推論処理を行い、最適な文書スタイルデザインを決定するものである。
また、同様の目的で、作成中の文書の意図や用途にあった文書に仕上げることができる文書作成支援装置が、特開平５−１０１０５２号公報で提案されている。この装置は、作成支援対象文書の内容や属性などの文書情報に基づき、文書の評価用語、文書デザイン要素、文書の属性並びにこれらの相互関係を規定する文書デザイン知識情報を用いて推論処理を行い、最適な文書デザインを決定するものである。
【０００８】
【発明が解決しようとする課題】
上記の特開平５−１０８６４１号公報や特開平５−１０１０５２号公報に記された方法は、確かに、今までの過去の文書を再利用する方法や文書書式を利用する方法に比べ、作成者は自分の意図や用途にあった見栄えの良い文書を容易に作成することができる。
しかしながら、そこで対象にしている文書は、素材として文字や表など、その素材の内容自体が心理的意味を持ったり心理的な影響を与える色とか形を持たないものから構成される文書であり、用いるデザイン知識もそのような文書を対象にしたエディトリアルデザイン知識であった。つまり、文書全体の表す意図や用途、そしてデザインに大きな影響を与えるような、特有の意味、色、形を持った素材、例えば写真やイラストを含んだ文書に対しては、特開平５−１０８６４１号公報や特開平５−１０１０５２号公報に記された方法では、作成者は自分の意図や用途にあった見栄えの良い文書を容易に作成することができないという問題があった。
【０００９】
本発明は、このような問題を解決するためになされたもので、写真やイラストなどの素材を含んだ文書を作成する場合でも、作成者の意図や用途にあった見栄えの良い文書を容易に作成することができる文書スタイル設計支援装置を提供することを目的とする。
【００１０】
【課題を解決するための手段】
本発明に係る文書スタイル設計支援装置は、作成支援対象文書で訴えたい印象を表す評価用語を含む文書情報と、当該文書に付加する素材の態様を規定する素材スタイルデザインを含む素材情報とを入力する入力手段と、評価用語と少なくとも素材に変更を加える属性を含む素材スタイルデザインとの関係を規定する素材スタイルデザイン知識情報を格納した知識データベースと、入力手段から入力された文書情報と素材情報に基づいて、知識データベースに格納された素材スタイルデザイン知識情報を用いて作成支援対象文書に付加する素材のスタイルデザインを決定する素材スタイルデザイン決定手段と、を備えている。
【００１１】
また、本発明に係る文書スタイル設計支援装置は、上記に加えて、評価用語と素材スタイルデザインと文書の態様を規定する文書スタイルデザインとの関係を規定する文書スタイルデザイン知識情報を格納した第二の知識データベースと、入力手段から入力された文書情報及び前記素材スタイルデザイン決定手段が決定した素材スタイルデザインに基づいて、前記第二の知識データベースに格納された文書スタイルデザイン知識情報を用いて作成支援対象文書の文書スタイルデザインを決定する文書スタイルデザイン決定手段と、素材スタイルデザイン決定手段が決定した素材スタイルデザインと前記文書スタイルデザイン決定手段が決定した文書スタイルデザインとを出力する出力手段と、を更に備えている。
なお、本発明に係る文書スタイル設計支援装置では、更に、素材スタイルデザインまたは文書スタイルデザインを決定する際に、不足する情報を質問文などの形で出力手段に出力するとともに、入力手段からその回答を受け付ける問合せ手段を備えた構成としてもよい。
【００１２】
上記のような文書スタイル設計支援装置において、文書作成者が入力手段から文書に持たせたい印象や目的の度合い、作成しようとしている文書の種類などの属性値及びその文書内で用いられる素材の種類などの属性値を入力し、入力手段から作成者が指示すると、素材スタイルデザイン決定手段は作成者の好みとする印象や目的などの評価用語の度合いや、作成しようととしている文書の情報を参照しつつ、素材知識データベースに蓄えられている素材スタイルデザイン知識情報を用いて素材スタイルデザインを決定し、この結果を出力手段に出力する。
また、素材スタイルデザイン決定手段は素材スタイルデザインの決定に際して不足するデータがあると、その情報を問合せ手段に伝える。問合せ手段は素材スタイルデザイン決定手段からの情報に基づいて不足するデータについての問合せを出力手段に質問文などで出力し、作成者からの回答を入力手段から受け取って入力データとして追加する。
【００１３】
そして、文書スタイルデザイン決定手段が起動し、入力された情報と、素材スタイルデザイン決定手段で決定された素材スタイルデザインの内容とを参照しつつ、文書知識データベースに蓄えられている文書スタイルデザイン知識情報を用いて文書デザインを決定し、この結果を出力手段に出力する。
また、文書スタイルデザイン決定手段は文書スタイルデザインの決定に際して不足するデータがあると、その情報を問合せ手段に伝える。問合せ手段は、文書スタイルデザイン決定手段からの情報に基づいて不足するデータについての問合せを出力手段に質問文などで出力し、作成者からの回答を入力手段から受け取って入力データとして追加する。
【００１４】
【発明の実施の形態】
本発明に係る文書スタイル設計支援装置を、実施例に基づいて説明する。
図１には、本発明に第１実施例に係る文書スタイル設計支援装置の構成を示してある。
この文書スタイル設計支援装置は、入力部１、表示部２、入力情報記憶部３、素材知識データベース４、素材スタイルデザイン決定部５、文書知識データベース６、文書スタイルデザイン決定部７、を備えている。
なお、これら各機能部は、コンピュータのハードウエアを利用してプログラムを実行することにより構成されている。
【００１５】
入力部１は、文書作成者が各種の情報やコマンドなどを入力するための入力装置であり、例えば、キーボード、マウス、ジョイスティック、タッチパネルなどで構成されている。
表示部２は、文字や図形、またはメッセージなどを表示するための表示装置であり、例えば、ディスプレイなどで構成されている。
【００１６】
入力情報記憶部３は、入力部１から入力されるデータを読み書き自在に格納するものであり、例えば、磁気ディスク装置や主記憶装置から構成されている。
ここで、入力情報記憶部３のデータはこれら記憶装置の上にアクセス可能な状態で保持されており、作成者の問い合わせに応じたデータが得られるようになっている。例えば、作成者が作成しようとしている文書の種類を知りたい場合は、「”文書、種類”」といった問い合わせによって「”雑誌記事”」などのデータを得ることができる。
【００１７】
素材知識データベース４は、ＩＦ−ＴＨＥＮルール形式やフレーム形式などの公知の知識表現方法により、画像データ、イラストなどのそれ自体で読者に何かしらの印象を与える素材の、印象などを表す評価用語と、素材の大きさやその中にある中心となるオブジェクトの種類などの素材の構成パラメータである素材スタイルデザイン要素との間の関係を規定する知識を素材スタイルデザイン知識として読み書き自在に格納するものであり、例えば、磁気ディスク装置や光ディスク装置などで構成されている。
【００１８】
なお、素材知識データベース４における知識の表現方法や推論エンジンの構成については、例えば「Ｆ．ヘイローズ他編、エキスパートシステム、産業図書、１９８５」などに詳しく解説されている。そして、これらの表現方法を用いて素材スタイルのデザインに関する知識を実装し、格納する。
ここで、素材スタイルのデザインに関する知識とは、例えば「内田広由紀、レイアウト辞典ｐａｒｔ１／ｐａｒｔ２、視覚デザイン研究所」で述べられているような定性的／定量的データなど、素材を評価／選択したり、処理したりするのに必要な種々の知識である。具体的には、例えば「青い空は伸びやかさを表す」「上から見下ろす視角は優しさを表す」「裁ち落とし版は伸びやかな感じを与える」というような知識が、図２に示すような表現で記述されたものである。
【００１９】
素材スタイルデザイン決定部５は、入力情報記憶部３に格納されているデータをもとに、素材知識データベース４の素材スタイルデザイン知識情報を使って推論を行いながら、素材スタイルのデザインを決定する手段であり、前向き推論や後ろ向き推論などの公知の推論を行う推論エンジンによって構成される。
【００２０】
この素材スタイルデザイン決定部５における推論機構の動作手順を、図３に示すフローチャートにより説明する。
まず、素材スタイルデザイン決定部５は、推論開始の指示を受けると推論エンジンの動きにより、素材知識データベース４からＩＦ−ＴＨＥＮルール形式で書かれたすべてのルールを取り出し、これをＲｕｌｅｓ１とする（ステップＳ１）。次に、入力情報記憶部３のデータをもとに、Ｒｕｌｅｓ１の中でＩＦ条件部に書かれた条件がすべて真となるルールをすべて見つけだし、これをＴｒｕｌｅｓ１とする（ステップＳ３）。次に、Ｔｒｕｌｅｓ１の中からルールを一つ選択し、このルールのＴＨＥＮ実行部に書かれた内容を検証する（ステップＳ５）。
このルールの選択検証を、ＴＨＥＮ実行部による推論停止命令か（ステップＳ２）、あるいは、Ｔｒｕｌｅｓ１が空になる（ステップＳ４）まで繰り返す。
これにより、素材スタイルデザイン決定部５は、所望の素材スタイルデザインを決定する。
【００２１】
文書知識データベース６は、ＩＦ−ＴＨＥＮルール形式やフレーム形式などの公知の知識表現方法により、文書の目的／印象などを表す評価用語と、紙サイズや文字サイズなど、文書の構成パラメータである文書スタイルデザイン要素と、文書の種類、目的、仕上げの印象などの文書の属性と、これらの相互の関係を規定する文書スタイルデザイン知識とを読み書き自在に格納するものであり、例えば、磁気ディスク装置や光ディスク装置などで構成されている。
【００２２】
なお、文書知識データベース６における知識の表現方法や推論エンジンの構成については、素材知識データベース４と同じである。そして、これらの表現方法を用いて、文書スタイルデザインに関する知識を実装し、格納する。
ここで、文書スタイルのデザインに関する知識とは、前記「内田広由紀、レイアウト辞典ｐａｒｔ１／ｐａｒｔ２、視覚デザイン研究所」で述べられているような定性的／定量的データなど、文書スタイルのデザインを決定するのに必要な種々の知識である。具体的には、例えば「雑誌記事のタイトルの文字は１６−２５ミリ、本文の文字は２．６−３．５ミリである」というような知識が、図４に示すような表現で記述されたものや、「タイトルの文字の色はメインモチーフとなる素材に使用されている色を用いる」というような素材同士の関係を表す知識が、図５に示すような表現で記述されたものである。
【００２３】
文書スタイルデザイン決定部７は、入力情報記憶３に記憶された文書情報及び素材スタイルデザイン決定部５で決定された素材スタイルデザインをもとに、文書知識データベース６の文書スタイルデザイン知識情報を使って推論を行いながら文書スタイルデザインを決定する手段であり、前向き推論や後ろ向き推論などの公知の推論を行う推論エンジンによって構成される。
【００２４】
この文書スタイルデザイン決定部７における推論機構の動作手順を、図６に示すフローチャートにより説明する。
まず、文書スタイルデザイン決定部７は、推論開始の指示を受けると推論エンジンの動きにより、文書知識データベース６からＩＦ−ＴＨＥＮルール形式で書かれたすべてのルールを取り出し、これをＲｕｌｅｓ２とする（ステップＳ１１）。次に、入力情報記憶部３のデータをもとに、Ｒｕｌｅｓ２の中でＩＦ条件部に書かれた条件がすべて真となるルールをすべて見つけだし、これをＴｒｕｌｅｓ２とする（ステップＳ１３）。次に、Ｔｒｕｌｅｓ２の中からルールを一つ選択し、このルールのＴＨＥＮ実行部に書かれた内容を実行する（ステップＳ１５）。
これらのルールの選択実行を、ＴＨＥＮ実行部による推論停止命令か（ステップＳ１２）、あるいは、Ｔｒｕｌｅｓ２が空になる（ステップＳ１４）まで繰り返す。
これにより、文書スタイルデザイン決定部７は所望の文書スタイルデザインを決定する。
【００２５】
次に、上述した文書スタイル設計支援装置により、実際に文書スタイルの設計を支援する場合の具体例を説明する。
まず、作成者が、図７に示すような文書情報や図８に示すような素材情報を入力部１から入力すると、入力情報記憶部３には「文書種類：雑誌記事」、「目的／印象：伸びやかさ（５）、要点明確度（４）、・・・・」、「素材オブジェクト種類：空」、「素材オブジェクト色：青」などの情報が格納される。
ここで、文書種類とは、雑誌記事、広告、カタログといった文書の内容や用途に応じた種類を表し、目的／印象とは、文書に付加したい目的や印象を表している。目的／印象を表している各評価用語の項目の数字は５点満点の得点を示すもので、目的／印象としてデザインされた結果の文書に与えたいイメージ（仕上げの印象）の程度を示している。
【００２６】
さて、素材スタイルデザイン決定部５は、図３に示したような動作手順により、図２に示したようなルールを選択実行して、青い空の写真は使用可能であり、使うときは裁ち落とし版にすると決定する。これは、この写真がのびのびした感じを与えており、意図した目的／印象に合致することと、採用した場合には、写真を裁ち落とし版にすることがのびのびした感じを与え望ましいということである。
【００２７】
次に、文書スタイルデザイン決定部７では、図６に示したような動作手順により、図４及び図５に示したようなルールを選択実行して、まずタイトル文字の色は例えば青に、大きさは例えば１６−２５ミリの中心値２０ミリに決定し、本文の文字は２．６−３．５ミリの中心値３ミリに決定する。これは、雑誌のタイトル文字には素材オブジェクトの色が使用され、大きさは１６−２５ミリ、本文の文字には２．６−３．５ミリが標準であるということである。
次に、そのタイトル文字が２０ミリに決定されたという情報も含めて文書スタイルデザイン決定部７でのルールの選択が行われ、以下同様に、小見出しは要点明確度が高く望まれていることから本文の２倍にし、伸びやかさを表現するためにゴシック体にするなどの文書スタイルデザインが決定されていき、必要な文書スタイルデザインパラメータが決定されたところで推論が終了する。
【００２８】
このようにして得られた文書スタイルデザインパラメータの値は、図９に示すような形式で表示部２に表示され、作成者は提示された文書スタイルデザインパラメータに従って文書を編集することができる。なお、ここでは、文書スタイルデザインパラメータの値を文字列で列記しているが、文書スタイルデザインパラメータの値に基づいて作成した一般的な文書の例を表示するようにしてもよい。より具体的には、図１０に示すような文書に対して、図１１に示すような写真を付加する場合に、上記の支援処理により、図１２に示すように写真が文書に対して裁ち落とし版で付加され、また、文書の文字部分も決定に従って編集される。
【００２９】
次に、本発明の第２実施例に係る文書スタイル設計支援装置を説明する。
図１３には、第２実施例に係る文書スタイル設計支援装置の構成を示してあり、第１実施例と同一部分には同一符号を付してある。
この文書スタイル設計支援装置は、第１実施例の構成に加えて、問合せ部８を設けたものである。そして、この問合せ部８は、素材スタイルデザイン決定部５および文書スタイルデザイン決定部７が不足する情報を質問文などの形で表示部２に表示する機能と、その回答を入力部１から受け取って入力情報記憶部３に追加する機能と、を有している。
【００３０】
本実施例では、文書スタイルデザイン決定部７が入力情報記憶部３に対して例えば「”文書、種類”」といった問合せを行ったときに、このデータが入力情報記憶部３にない場合、入力情報記憶部３から文書スタイルデザイン決定部７に「”ｎｉｌ”」などの特別な値を返すような処理を行う。そして、入力情報記憶部３から「”ｎｉｌ”」が返された場合、文書スタイルデザイン決定部７は一旦処理を中断して制御を問合せ部８に移し、作成者にその値を聞いて値を入力情報記憶部３に入力してもらい、再び文書スタイルデザイン決定部７に制御を移して続きを実行するように構成されている。なお、素材スタイルデザインに関しても同様な働きをするので説明は省略する。
このような問合せ機能によって、文書作成者は不足する情報を入力することで、より自らの意図に合った文書を作成することができる。
【００３１】
【発明の効果】
以上説明したように、本発明によれば、文書の内容や属性等の文書情報およびその文書内で用いられる素材の内容や属性等の素材情報と、素材スタイルデザイン知識情報および文書スタイルデザイン知識情報を用いて推論処理を行い、最適な文書スタイルデザインを決定するようにしたため、文書作成者は写真やイラストなどの素材を含んだ文書をデザインする知識がなくとも、作成者の意図や用途にあった見栄えのよい文書を容易に作成することができる。
【図面の簡単な説明】
【図１】  本発明の第１実施例に係る文書スタイル設計支援装置の構成図である。
【図２】  素材知識データベースにおける知識表現の一例を示す図である。
【図３】  素材スタイルデザイン決定部における推論機構の動作手順を示すフローチャートである。
【図４】  文書知識データベースにおける知識表現の一例を示す図である。
【図５】  文書知識データベースにおける知識表現の一例を示す図である。
【図６】  文書スタイルデザイン決定部における推論機構の動作手順を示すフローチャートである。
【図７】  利用者により入力されたデータの一例を示す図である。
【図８】  利用者により入力されたデータの一例を示す図である。
【図９】  決定された文書スタイルデザインパラメータの表示例を示す図である。
【図１０】  作成支援対象となる原文書の一例を示す図である。
【図１１】  作成支援対象となる素材の一例を示す図である。
【図１２】  原文書に素材を付加した一例を示す図である。
【図１３】  本発明の第２実施例に係る文書スタイル設計支援装置の構成図である。
【符号の説明】
１・・・入力部、  ２・・・表示部、  ３・・・入力情報記憶部、
４・・・素材知識データベース、  ５・・・素材スタイルデザイン決定部、
６・・・文書知識データベース、  ７・・・文書スタイルデザイン決定部、
８・・・問合せ部、
【図１】
0003807073.tif 000002
【図２】
0003807073.tif 000003
【図３】
0003807073.tif 000004
【図４】
0003807073.tif 000005
【図５】
0003807073.tif 000006
【図６】
0003807073.tif 000007
【図７】
0003807073.tif 000008
【図８】
0003807073.tif 000009
【図９】
0003807073.tif 000010
【図１０】
0003807073.tif 000011
【図１１】
0003807073.tif 000012
【図１２】
0003807073.tif 000013
【図１３】
0003807073.tif 000014